【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
電力機器の保守を支援するための装置であって、
撮像部と、
ディスプレイと、
点検者の前記装置に対する操作の内容を受付ける操作受付部と、
前記電力機器の外観における異常の程度を示す複数の異常レベルのそれぞれに関連付けて当該異常が生じている外観を表す外観画像を格納する格納部を備えるサーバと通信する通信部と、
前記装置を制御する制御部と、を備え、
前記制御部は、
前記格納部の各異常レベルに関連付けられた前記外観画像を、前記サーバから受信するよう前記通信部を制御し、
前記撮像部が前記電力機器の外観を撮像した撮像画像と、受信された前記各異常レベルに関連付けられた外観画像を表示するように前記ディスプレイを制御し、
前記操作受付部が前記点検者から受付けた前記異常の程度を示す前記異常レベルに関連付けて、前記撮像画像が前記外観画像として前記格納部に格納されるように、当該撮像画像を前記サーバに送信するよう前記通信部を制御する、電力機器の保守支援装置。
【請求項２】
電力機器の保守を支援するための装置であって、
撮像部と、
ディスプレイと、
点検者の前記装置に対する操作内容を受付ける操作受付部と、
前記電力機器の外観における異常の程度を示す複数の異常レベルのそれぞれに関連付けて当該異常が生じている外観を表す外観画像を格納する格納部と、
前記装置を制御する制御部と、を備え、
前記制御部は、
前記撮像部が当該電力機器の外観を撮像した撮像画像と、前記格納部の各異常レベルに関連付けられた外観画像を表示するように前記ディスプレイを制御し、
前記操作受付部が前記点検者から受付けた前記異常の程度を示す前記異常レベルに関連付けて、前記撮像画像を前記外観画像として前記格納部に格納する、電力機器の保守支援装置。
【請求項３】
前記制御部は、
前記撮像画像と前記外観画像とを、明るさを含む表示態様に関する属性が同じとなるように、前記ディスプレイを制御する、請求項１または２に記載の電力機器の保守支援装置。
【請求項４】
前記制御部は、
前記外観画像を、関連付けられた前記異常レベルに従う順番で表示するよう前記ディスプレイを制御する、請求項１から３のいずれか１項に記載の電力機器の保守支援装置。
【請求項５】
前記制御部は、
前記外観画像を、前記撮像画像との類似度に従う順番で表示するように前記ディスプレイを制御する、請求項１から４のいずれか１項に記載の電力機器の保守支援装置。
【請求項６】
前記格納部は、さらに、前記外観画像に関連付けて、当該外観画像の電力機器が有する属性を格納し、
前記制御部は、
前記格納部の前記外観画像に関連付けられた前記電力機器の属性について、前記撮像部により撮像された前記電力機器の属性との類似度を判定し、
前記外観画像を、前記類似度に従う順番で表示するよう前記ディスプレイを制御する、請求項１から５のいずれか１項に記載の電力機器の保守支援装置。
【請求項７】
前記電力機器の属性は、機種、製造年、設置環境条件および稼働環境条件の少なくとも１つを含む、請求項６に記載の電力機器の保守支援装置。
【請求項８】
前記格納部は、さらに、前記外観画像に関連付けて、当該外観画像を撮像した前記点検者の熟練の程度を示す熟練度を格納し、
前記制御部は、
前記外観画像を、当該外観画像に関連付けられた前記熟練度に従う順番で表示するよう前記ディスプレイを制御する、請求項１から７のいずれか１項に記載の電力機器の保守支援装置。
【請求項９】
前記格納部は、さらに、前記外観画像に関連付けて、前記異常に対しなされる処置内容を格納し、
前記制御部は、
前記外観画像を、当該外観画像に関連付けられた前記処置内容とともに表示するよう前記ディスプレイを制御する、請求項１から８のいずれか１項に記載の電力機器の保守支援装置。
【請求項１０】
前記電力機器は、メモリを有したＲＦ（Radio  Frequency）タグを備え、
前記装置は、前記ＲＦタグと非接触で交信する交信部を、さらに備え、
前記制御部は、
前記交信部の交信により、前記操作受付部が前記点検者から受付けた前記異常レベルに関連付けて、前記撮像画像を前記外観画像として前記ＲＦタグの前記メモリに格納する、請求項１から９のいずれか１項に記載の電力機器の保守支援装置。
【請求項１１】
電力機器の保守を支援するための装置であって、
マイクと、
点検者の前記装置に対する操作の内容を受付ける操作受付部と、
前記電力機器から出力される音の異常の程度を示す複数の異常音レベルのそれぞれに関連付けて異常音を示す音声データを格納する格納部を備えるサーバと通信する通信部と、
前記装置を制御する制御部と、を備え、
前記制御部は、
前記格納部の各異常音レベルに関連付けられた音声データを、前記サーバから受信するよう前記通信部を制御し、
前記マイクが当該電力機器から集音した集音データと、受信された前記各異常音レベルに関連付けられた前記音声データを再生し、
前記操作受付部が前記点検者から受付けた音の異常の程度を示す前記異常音レベルに関連付けて、前記集音データが前記音声データとして前記格納部に格納されるように、当該集音データを前記サーバに送信するよう前記通信部を制御する、電力機器の保守支援装置。
【請求項１２】
電力機器の保守を支援するための装置であって、
マイクと、
点検者の前記装置に対する操作内容を受付ける操作受付部と、
前記電力機器から出力される音の異常の程度を示す複数の異常音レベルのそれぞれに関連付けて異常音を示す音声データを格納する格納部と、
前記装置を制御する制御部と、を備え、
前記制御部は、
前記マイクが前記電力機器から集音した集音データと、前記格納部の各異常音レベルに関連付けられた音声データを再生し、
前記操作受付部が前記点検者から受付けた異常音の程度を示す前記異常音レベルに関連付けて、前記集音データを前記音声データとして前記格納部に格納する、電力機器の保守支援装置。
【請求項１３】
前記制御部は、前記集音データと前記音声データとを、共通の特性を有したフィルタを介して再生する、請求項１１または１２に記載の電力機器の保守支援装置。
【請求項１４】
電力機器の外観における異常の程度を示す複数の異常レベルのそれぞれに関連付けて当該異常が生じている外観を表す外観画像を格納する格納部を備えるサーバと、
前記サーバと通信する装置と、を備え、
前記装置は、
前記サーバと通信するための通信部と、
撮像部と、
ディスプレイと、
点検者の前記装置に対する操作の内容を受付ける操作受付部と、
前記装置を制御する制御部と、を備え、
前記制御部は、
前記格納部の各異常レベルに関連付けられた外観画像を、前記サーバから受信するように前記通信部を制御し、
前記撮像部が前記電力機器の外観を撮像した撮像画像と、受信された前記各異常レベルに関連付けられた外観画像を表示するように前記ディスプレイを制御し、
前記操作受付部が前記点検者から受付けた前記異常の程度を示す前記異常レベルに関連付けて、前記撮像画像が前記外観画像として前記格納部に格納されるように、当該撮像画像を前記サーバに送信するよう前記通信部を制御する、電力機器の保守支援システム。
【請求項１５】
コンピュータに、電力機器の保守を支援する方法を実行させるためのプログラムであって、
前記方法は、
前記電力機器の外観における異常の程度を示す複数の異常レベルのそれぞれに関連付けて当該異常が生じている外観を表す外観画像を格納する格納部を備えるサーバと通信するステップと、
前記格納部の各異常レベルに関連付けられた外観画像を、前記サーバから受信するステップと、
前記電力機器の外観を撮像した撮像画像と、前記サーバから受信された前記各異常レベルに関連付けられた外観画像を表示するステップと、
前記電力機器の点検者から受付けた前記異常の程度を示す前記異常レベルに関連付けて、前記撮像画像が前記外観画像として前記格納部に格納されるように、当該撮像画像を前記サーバに送信するステップと、を備える、プログラム。
【請求項１６】
コンピュータに、電力機器の保守を支援するための方法を実行させるためのプログラムであって、
前記コンピュータは、前記電力機器の外観における異常の程度を示す複数の異常レベルのそれぞれに関連付けて当該異常が生じている外観を表す外観画像を格納する格納部を備え、
前記方法は、
前記電力機器の外観を撮像した撮像画像と、前記格納部の各異常レベルに関連付けられた外観画像を表示するステップと、
前記電力機器の点検者から受付けた前記異常の程度を示す前記異常レベルに関連付けて、前記撮像画像を前記外観画像として前記格納部に格納するステップと、を備える、プログラム。
【請求項１７】
電力機器から出力される音の異常の程度を示す複数の異常音レベルのそれぞれに関連付けて異常音を示す音声データを格納する格納部を備えるサーバと、
前記サーバと通信する装置と、を備え、
前記装置は、
前記サーバと通信するための通信部と、
マイクと、
点検者の前記装置に対する操作の内容を受付ける操作受付部と、
前記装置を制御する制御部と、を備え、
前記制御部は、
前記格納部の各異常音レベルに関連付けられた音声データを、前記サーバから受信するよう前記通信部を制御し、
前記マイクが当該電力機器から集音した集音データと、受信された前記各異常音レベルに関連付けられた前記音声データを再生し、
前記操作受付部が前記点検者から受付けた音の異常の程度を示す前記異常音レベルに関連付けて、前記集音データが前記音声データとして前記格納部に格納されるように、当該集音データを前記サーバに送信するよう前記通信部を制御する、電力機器の保守支援システム。
【請求項１８】
コンピュータに、電力機器の保守を支援する方法を実行させるためのプログラムであって、
前記方法は、
前記電力機器から出力される音の異常の程度を示す複数の異常音レベルのそれぞれに関連付けて異常音を示す音声データを格納する格納部を備えるサーバと通信するステップと、
前記格納部の各異常音レベルに関連付けられた音声データを、前記サーバから受信するステップと、
前記電力機器から集音した集音データと、受信された前記各異常音レベルに関連付けられた前記音声データを再生するステップと、
前記電力機器の点検者から受付けた音の異常の程度を示す前記異常音レベルに関連付けて、前記集音データが前記音声データとして前記格納部に格納されるように、当該集音データを前記サーバに送信するステップと、を備える、プログラム。
【請求項１９】
コンピュータに、電力機器の保守を支援するための方法を実行させるためのプログラムであって、
前記コンピュータは、前記電力機器から出力される音の異常の程度を示す複数の異常音レベルのそれぞれに関連付けて異常音を示す音声データを格納する格納部を、備え、
前記方法は、
前記電力機器から集音した集音データと、前記格納部の各異常音レベルに関連付けられた音声データを再生するステップと、
前記電力機器の点検者から受付けた異常音の程度を示す前記異常音レベルに関連付けて、前記集音データを前記音声データとして前記格納部に格納するステップと、を備える、プログラム。